【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
複数の無線端末と、1つ以上の無線基地局と、1つ以上のサーバからなる無線通信システムであって、
前記無線端末は、
前記無線基地局と通信するための無線通信手段と、
本無線端末を一意に識別するためのグローバルIDと、
前記無線通信手段を用いて前記グローバルIDを前記サーバへ送信する手段と、
前記グローバルIDに対応してサーバが本無線端末に割り当てるローカルIDを記憶する手段と
を有し、
前記無線基地局は、
前記無線端末と通信するための無線通信手段と、
前記サーバと通信するための通信手段と、
前記無線端末と前記サーバの通信を中継する手段と
を有し、
前記サーバは、
前記無線基地局と通信するための通信手段と、
前記通信手段を用いて前記無線端末からのグローバルIDを受信する手段と、
前記無線端末のグローバルIDと1対1に対応し、前記グローバルIDよりもビット長の小さい、ローカルIDを生成する手段と、
前記グローバルIDと前記ローカルIDの対応関係を記憶し相互に変換するための手段と、
前記通信手段を用いて前記ローカルIDを前記無線端末へ送信する手段と
を有し、
前記無線端末と前記サーバの間の通信を前記無線基地局が中継し、
前記無線端末は初期的な通信において前記グローバルIDを前記サーバへ送信し、
前記サーバは、前記無線端末より受信した前記グローバルIDに対して前記ローカルIDを1つ割り当てて前記無線端末へ送信し、
前記無線端末は前期サーバより受信した前記ローカルIDを記憶し、
以後の通信においては前記無線端末、前記無線基地局、前記サーバのいずれもが、前記無線端末を識別するために前記ローカルIDを使用する
ことを特徴とする無線通信システム。
【請求項２】
複数の無線端末と、1つ以上の無線基地局と、1つ以上のサーバからなる無線通信システムであって、
前記無線端末は、
前記無線基地局と通信するための無線通信手段と、
本無線端末を一意に識別するためのグローバルIDと、
前記無線通信手段を用いて前記グローバルIDを前記サーバへ送信する手段と、
前記グローバルIDに対応してサーバが本無線端末に割り当てるローカルIDを記憶する手段と
を有し、
前記無線基地局は、
前記無線端末と通信するための無線通信手段と、
前記サーバと通信するための通信手段と、
前記無線端末と前記サーバの通信を中継する手段と、
前記グローバルIDと前記ローカルIDの対応関係を記憶し相互に変換するための手段と
を有し、
前記サーバは、
前記無線基地局と通信するための通信手段と、
前記通信手段を用いて前記無線端末からのグローバルIDを受信する手段と、
前記無線端末のグローバルIDと1対1に対応し、前記グローバルIDよりもビット長の小さい、ローカルIDを生成する手段と、
前記グローバルIDと前記ローカルIDの対応関係を記憶し前記グローバルIDから前記ローカルIDを検索するための手段と、
前記通信手段を用いて前記ローカルIDを前記無線端末へ送信する手段と
を有し、
前記無線端末と前記サーバの間の通信を前記無線基地局が中継し、
前記無線端末は初期的な通信において前記グローバルIDを前記サーバへ送信し、
前記サーバは、前記無線端末より受信した前記グローバルIDに対して前記ローカルIDを1つ割り当てて前記無線基地局および前記無線端末へ送信し、
前記無線基地局は前記サーバより受信した前記グローバルIDと前記ローカルIDの対応関係を記憶し、
前記無線端末は前期サーバより受信した前記ローカルIDを記憶し、
以後の通信においては、
前記無線端末と前記無線基地局との通信においては前記無線端末を識別するために前記ローカルIDを使用し、
前記無線基地局と前記サーバとの通信においては前記無線端末を識別するために前記グローバルIDを使用し、
前記無線基地局が、前記無線端末と前記サーバとの通信を中継する際に前記ローカルIDと前記グローバルIDを相互に変換する
ことを特徴とする無線通信システム。
【請求項３】
複数の無線端末と、1つ以上の無線基地局と、1つ以上のサーバからなる無線通信システムであって、
前記無線端末は
前記無線基地局と通信するための無線通信手段と、
本無線端末を一意に識別するためのグローバルIDと、
前記無線通信手段を用いて前記グローバルIDを前記サーバへ送信する手段と、
前記グローバルIDに対応してサーバが本無線端末に割り当てるローカルIDを記憶する手段と
を有し、
前記無線基地局は、
前記無線端末と通信するための無線通信手段と、
前記サーバと通信するための通信手段と、
前記無線端末と前記サーバの通信を中継する手段と、
前記無線通信手段を用いて前記無線端末からのグローバルIDを受信する手段と、
前記無線端末のグローバルIDと1対1に対応し、前記グローバルIDよりもビット長の小さい、ローカルIDを生成する手段と、
前記グローバルIDと前記ローカルIDの対応関係を記憶し相互に変換するための手段と、
前記無線通信手段を用いて前記ローカルIDを前記無線端末へ送信する手段と
を有し、
前記サーバは前記無線基地局と通信するための通信手段を有し、
前記無線端末は初期的な通信において前記グローバルIDを前記無線基地局へ送信し、
前記無線基地局は、前記無線端末より受信した前記グローバルIDに対して前記ローカルIDを1つ割り当てて前記無線端末へ送信し、
前記無線端末は前期無線基地局より受信した前記ローカルIDを記憶し、
以後の通信においては、
前記無線端末と前記サーバの間の通信を前記無線基地局が中継し、
前記無線端末と前記無線基地局との通信においては前記無線端末を識別するために前記ローカルIDを使用し、
前記無線基地局と前記サーバとの通信においては前記無線端末を識別するために前記グローバルIDを使用し、
前記無線基地局が、前記無線端末と前記サーバとの通信を中継する際に前記ローカルIDと前記グローバルIDを相互に変換する
ことを特徴とする無線通信システム。
【請求項４】
請求項１乃至３のいずれか１項に記載の無線通信システムであって、
前記無線通信システムは広域ネットワークと接続され、
前記サーバは、
前記広域ネットワークを介して外部通信装置と通信するための通信手段と、
前記外部通信装置に対して前記無線端末に関わる情報を提示する手段か、前記外部システムと前記無線端末または前期無線基地局との通信を中継する手段の少なくとも1つと
を有し、
前記外部通信装置との直接的な通信は前記サーバが代表して行い、
前記無線端末または前記無線基地局は、前記サーバを介して間接的に前記外部通信装置と通信可能であって、
前記サーバは、
前記外部通信装置との通信において、前記無線端末を識別する際に前記グローバルIDを使用し、
前記無線端末または前記無線基地局と前記外部通信装置との通信を中継する際に、前記無線端末または前期無線基地局とのシステム内通信においては前記無線端末を識別する際に前記ローカルIDを使用し、前記外部通信装置とのシステム外通信においては前記無線端末を識別する際に前記グローバルIDを使用し、
前記システム内通信と前記システム外通信を中継する際に前記ローカルIDと前記グローバルIDを相互に変換する
ことを特徴とする無線通信システム。
【請求項５】
請求項１乃至３のいずれか１項に記載の無線通信システムであって、
各々の無線端末に割り当てられる前記ローカルIDのビット長が可変であることを特徴とする無線通信システム。
【請求項６】
請求項１乃至３のいずれか１項に記載の無線通信システムであって、
前記無線端末または前記サーバが、
動作中の任意の時点において、前記無線端末にローカルIDを再割り当てするための通信手順を開始する手段を有し、
前記無線端末は、
初期的な通信により前記サーバから第1のローカルIDを割り当てられ、前記第1のローカルIDを使用して任意の期間動作した後に、前記無線端末または前記サーバにより前記通信手順が開始されることにより前記サーバから第2のローカルIDを再割り当てされ、以後前記第2のローカルIDを使用して動作する
ことを特徴とする無線通信システム。
【請求項７】
請求項１乃至３のいずれか１項に記載の無線通信システムであって、
前記無線基地局のうちの1つと前記サーバとが単一の装置であることを特徴とする無線通信システム。
【請求項８】
請求項１乃至３のいずれか１項に記載の無線通信システムであって、
前記無線通信システムは広域ネットワークと接続され、
前記サーバは、
前記無線端末のグローバルIDと1対1に対応し、前記通信システム内で一意な識別情報を記憶する手段と、
前記グローバルIDと前記識別情報の対応関係を記憶し相互に変換するための手段と、
前記広域ネットワークを介して外部通信装置と通信するための通信手段と、
前記外部通信装置に対して前記無線端末に関わる情報を提示する手段か、前記外部システムと前記無線端末または前期無線基地局との通信を中継する手段の少なくとも1つと
を有し、
前記外部通信装置との直接的な通信は前記サーバが代表して行い、
前記無線端末または前記無線基地局は、前記サーバを介して間接的に前記外部通信装置と通信可能であって、
前記サーバは、
前記外部通信装置との通信において、前記無線端末を識別する際に前記識別情報を使用し、
前記無線端末または前記無線基地局と前記外部通信装置との通信を中継する際に、前記無線端末または前期無線基地局とのシステム内通信においては前記無線端末を識別する際に前記ローカルIDを使用し、前記外部通信装置とのシステム外通信においては前記無線端末を識別する際に前記識別情報を使用し、
前記システム内通信と前記システム外通信を中継する際に前記ローカルIDと前記識別情報
を相互に変換する
ことを特徴とする無線通信システム。
【請求項９】
複数の端末と、１つ以上の基地局とを有する通信システムであって、
前記端末は、
前記基地局と通信するための通信手段と、
端末を一意に識別するための第１のIDを記憶する第１のメモリと、
前記第１のIDに対応する第２のIDを記憶する第２のメモリと
を有し、
前記基地局は、
前記無線端末と通信するための通信手段を有し、
前記端末は前記第１のIDを前記基地局に向けて送信し、前記第１のIDに対応する第２のIDを前記基地局から受信し、受信した第２のIDを上記第２のメモリに記憶し、それ以後の通信において、上記第２のIDを用いる
ことを特徴とする通信システム。
【請求項１０】
請求項９に記載の通信システムであって、
前記端末は前記第１のIDを前記基地局に向けて送信し、
前記基地局はサーバ装置に向けて前記第１のIDを送信し、
前記サーバ装置は前記第１のIDと1対1に対応し、前記第１のIDよりもビット長の小さい第２のIDを生成し、前記第１のIDと前記第２のIDの対応関係を記憶する
ことを特徴とする通信システム。
【請求項１１】
複数の端末と、該端末と無線で通信する１つ以上の基地局とを有する通信システムに於ける通信方法であって、
前記端末は、
自己を特定する第１のＩＤを上記基地局に送信し、
上記第１のＩＤと対応する第２のＩＤを上記基地局から受信し、
上記第２のＩＤを記憶し、
上記第２のＩＤを記憶した以後の通信においては、前記端末および前記基地局は、前記端末を識別するために前記第２のＩＤ使用する
ことを特徴とする通信方法。
【請求項１２】
基地局と無線で通信する無線端末であって、
前記無線端末は、
前記基地局と通信するための無線モジュールと、
第１のＩＤを記憶する第１のメモリと、
書き込み可能な第２のメモリと、
前記無線モジュール、第１及び第２のメモリを制御するコントローラと、
上記無線モジュール、第１及び第２のメモリ、およびコントローラに電力を供給する電源と
を有し、
前記コントローラは、上記第１のＩＤを含むデータを上記無線モジュールを介して上記基地局に送信し、上記基地局から送信される上記第１のＩＤに対応する第２のＩＤを上記無線モジュールで受信すると、該第２のＩＤを上記第２のメモリに記憶し、該第２のＩＤを用いて通信するように制御する
ことを特徴とする無線端末。
【請求項１３】
請求項１２に記載の無線端末であって、
上記コントローラは、上記第２のＩＤを上記第２のメモリに記憶した以後の通信においては、上記第２のＩＤを用いて、上記基地局と交信を行うように制御することを特徴とする無線端末。
【請求項１４】
複数の端末と、該端末と無線通信を行う１つ以上の基地局とを有する通信システムに接続されるサーバであって、
該サーバは、
前記基地局と通信するための通信ユニットと、
メモリと、
上記通信ユニット及びメモリを制御するコントローラと
を有し、
上記コントローラは、
前記端末から前記基地局を経由して送付される第１のＩＤを前記通信ユニットにより受信すると、該第１のＩＤと1対1に対応し前記第１のＩＤよりもビット長の小さい第２のＩＤを生成し、生成した該第２のＩＤを上記メモリに格納し、該第２のＩＤを前記通信ユニットを用いて前記端末へ送信するように制御を行う
ことを特徴とするサーバ。
【請求項１５】
請求項１４に記載のサーバであって、
前記メモリは、前記第１のＩＤと第２のＩＤの対応表を記憶することを特徴とするサーバ。